(57)【特許請求の範囲】
【請求項１】
針自動後退型採血針であって、
前から後へ順次接続された、第１円筒状部、第２円筒状部及びテールホルダー部を有し、
前記第２円筒状部の直径が前記第１円筒状部の直径より大きい針ホルダーと、
針管と、
長手方向から見た断面が略Ｃ字形状であり、両端まで貫通する長尺状ブロックである内蔵スライドスリーブと、
両端まで貫通する長尺状の中空ハウジングである保護ハウジングと、
ばねと、を備え、
前記針管の末端は、前記第１円筒状部の内部に取り付けられ、前記針ホルダーの第１円筒状部及び前記針ホルダーの第２円筒状部は、いずれも前記内蔵スライドスリーブの内部に取り付けられ、前記第２円筒状部は、内蔵スライダーと嵌合して前後にスライド可能であり、前記針ホルダーのテールホルダー部は、前記内蔵スライドスリーブの末端の外に位置し、前記内蔵スライドスリーブは、前後にスライド可能に前記保護ハウジングの内部に取り付けられ、前記テールホルダー部は、前記保護ハウジングの末端にロックでき、前記ばねは、前記第１円筒状部に套設され、先端が前記保護ハウジングの内壁に当接され、末端が前記第２円筒状部の先端の端面に当接され、
前記針ホルダーと前記内蔵スライドスリーブとの間には、前記第２円筒状部をロックするための第１ロック構造が設けられ、前記内蔵スライドスリーブと前記保護ハウジングとの間には、前記内蔵スライドスリーブをロックするための第２ロック構造が設けられ、前記テールホルダー部と前記保護ハウジングとの間には、前記テールホルダー部をロックするための第３ロック構造が設けられ、
前記テールホルダー部が前記保護ハウジングの末端にロックされたとき、前記ばねは、圧縮状態にあり、前記内蔵スライドスリーブの先端は、前記保護ハウジングの内壁により制限され、前記内蔵スライドスリーブの末端は、前記テールホルダー部により制限され、前記テールホルダー部が前記保護ハウジングの末端に対してロック解除されたとき、前記ばねの作用力は、前記第２円筒状部を押して前記内蔵スライドスリーブのロック位置まで後へスライドさせてロックし、前記針ホルダーは、後へスライドし続けて前記内蔵スライドスリーブが前記保護ハウジングのロック位置まで後へスライドしてロックされるように駆動し、このとき、前記針管は、前記保護ハウジングにより完全に覆われ、且つ針先が露出しない、
ことを特徴とする針自動後退型採血針。
【請求項２】
前記第１ロック構造は、前記第２円筒状部の外壁に設けられる第１位置決め部と、前記内蔵スライドスリーブの内壁に設けられる第１ロック部と、を備え、前記第２円筒状部が前記内蔵スライドスリーブのロック位置までスライドすると、前記第１位置決め部は、前記第１ロック部によりロックされ、前記第２円筒状部が前記内蔵スライドスリーブから抜けないようにする、
ことを特徴とする請求項１に記載の針自動後退型採血針。
【請求項３】
前記第１位置決め部は、スライダーを備え、前記第１ロック部は、長溝孔及び第１弾性アームを備え、前記長溝孔が前記内蔵スライドスリーブの軸方向に設けられ、前記第１弾性アームが前記長溝孔の後方部に設けられ、前記スライダーは、前記長溝孔の長さ範囲でスライドするように制限され、前記スライダーが前記長溝ブロックに沿って前記長溝孔の末端までスライドする過程において、前記第１弾性アームは、前記スライダーにより押されて弾性的に変形して前記スライダーの通過を許容し、前記スライダーが前記長溝孔の末端に到着すると、前記第１弾性アームの変形が戻り、前記スライダーがロックされて逆方向にスライドできなくなる、
ことを特徴とする請求項２に記載の針自動後退型採血針。
【請求項４】
前記第１位置決め部は、それぞれ前記スライダーの両側に設けられる２つのサイドスライダーをさらに備え、前記第１ロック部は、２本の第１スライド溝をさらに備え、前記２本の第１スライド溝が前記内蔵スライドスリーブの軸方向に設けられ、且つそれぞれ前記スライド溝孔の両側に設けられ、前記２つのサイドスライダーは、それぞれ前記２本の第１スライド溝の長さ範囲でスライドするように制限され、前記第２円筒状部が径方向に沿って前記内蔵スライドスリーブから抜けないようにする、
ことを特徴とする請求項３に記載の針自動後退型採血針。
【請求項５】
前記第２ロック構造は、前記内蔵スライドスリーブに設けられる第２位置決め部と、前記保護ハウジングの内壁に設けられる第２ロック部と、を備え、前記内蔵スライドスリーブが前記保護ハウジングのロック位置までスライドすると、前記第２位置決め部は、前記第２ロック部によりロックされ、前記内蔵スライドスリーブが前記保護ハウジングから抜けないようにする、
ことを特徴とする請求項１に記載の針自動後退型採血針。
【請求項６】
前記第２位置決め部は、それぞれ前記内蔵スライドスリーブの２つの軸方向断面に設けられる２つのボスを備え、前記第２ロック部は、２本の第２スライド溝と２つの第２弾性アームと、を備え、前記２本の第２スライド溝が前記保護ハウジングの軸方向に対称的に設けられ、前記２つの第２弾性アームがそれぞれ前記２本の第２スライド溝の後方部に設けられ、前記２つのボスがそれぞれ前記２本の第２スライド溝の長さ範囲でスライドするように制限され、
前記２つのボスがそれぞれ前記２本の第２スライド溝に沿って前記２本の第２スライド溝の末端までスライドする過程において、前記２つの第２弾性アームは、それぞれ前記２つのボスにより押されて弾性的に変形して前記２つのボスの通過を許容し、前記２つのボスがそれぞれ前記２本の第２スライド溝の末端に到着すると、前記２つの第２弾性アームの変形が戻り、前記２つのボスがロックされて逆方向にスライドできなくなる、
ことを特徴とする請求項５に記載の針自動後退型採血針。
【請求項７】
前記第３ロック構造は、前記テールホルダー部に設けられる第３位置決め部と、前記保護ハウジングの末端に設けられる第３ロック部と、を備え、前記第３位置決め部が前記第３ロック部にロックされると、前記テールホルダー部は、前記保護ハウジングの末端にロックされ、前記ばねは、圧縮状態にあり、前記第３位置決め部と前記第３ロック部のロックが解除されると、前記ばねの作用力は、前記第２円筒状部を押して、前記針ホルダーを後へ移動させる、
ことを特徴とする請求項１に記載の針自動後退型採血針。
【請求項８】
前記第３位置決め部は、２本の爪部を備え、前記２本の爪部が、前記テールホルダー部の末端の端面に対称的に設けられ、且つ第２円筒状部の中心軸線に対して垂直であり、
前記第３ロック部は、第１板状部と２つの長尺状孔部と、を備え、前記第１板状部が前記保護ハウジングの末端から軸方向に延出し、前記第１板状部が径方向に沿って移動でき、前記２つの長尺状孔部が前記第１板状部に対称的に開けられ、
前記第１板状部を操作することによって、前記２本の爪部をそれぞれ前記２つの長尺状孔部に挿入するか、又は前記２本の爪部と前記２つの長尺状孔部のそれぞれのロックを解除する、
ことを特徴とする請求項７に記載の針自動後退型採血針。
【請求項９】
前記第３位置決め部は、第１押圧部と第１凸起と、を備え、前記第１押圧部が前記テールホルダー部の末端から軸方向に延出し、前記第１押圧部が径方向に沿って押圧でき、前記第１凸起が前記第１押圧部の外壁に設けられ、
前記第３ロック部は、２つの第２板状部と第１係合溝と、を備え、前記２つの第２板状部が前記保護ハウジングの末端から軸方向に延出し、且つ隣接して設けられ、第２板状部の一方が前記第１係合溝に設けられ、
前記第１押圧部を操作することによって、前記第１凸起を前記第１係合溝に係着するか、又は前記第１凸起と前記第１係合溝とのロックを解除する、
ことを特徴とする請求項７に記載の針自動後退型採血針。
【請求項１０】
前記第３位置決め部は、それぞれ前記テールホルダー部の両側に設けられる２つの第２凸起を備え、
前記第３ロック部は、２つの第２押圧部と２つの第２係合溝と、を備え、前記２つの第２押圧部がそれぞれ前記保護ハウジングの末端の両側から後へ延設され、前記２つの第２押圧部が対向して押圧でき、前記２つの第２係合溝がそれぞれ前記２つの第２押圧部に設けられ、
前記２つの第２押圧部がそれぞれ前記２つの第２係合溝にロックされると、前記テールホルダー部は、前記保護ハウジングの末端にロックされ、手で両側の第２押圧部を把持して対向して押圧すると、前記２つの第２凸起のそれぞれと前記２つの第２係合溝とのロックが解除される、
ことを特徴とする請求項７に記載の針自動後退型採血針。
【請求項１１】
前記保護ハウジングの末端は、後へ延びて把持部を構成し、前記把持部及び前記テールホルダー部は、いずれも略Ｕ字形状に開口し、且つ開口が後向きに設けられ、前記テールホルダー部の前方部は、前記把持部の内側に内蔵されるとともに前記把持部とロックされ、前記テールホルダー部の後方部は、前記把持部の末端の後に位置し、
前記第３位置決め部は、２つの第３押圧部と２つの第３凸起と、を備え、前記２つの第３押圧部が前記テールホルダー部の後方部の両側壁であり、前記２つの第３凸起がそれぞれ前記テールホルダー部の前方部の両側壁に設けられ、
前記第３ロック部は、それぞれ前記把持部の両側壁に設けられる２つの第３係合溝を備え、
前記２つの第３凸起がそれぞれ前記２つの第３係合溝とロックされたとき、前記２つの第３押圧部は、それぞれ前記把持部の両側壁の末端の後に位置し、前記テールホルダー部の末端の両側にある前記２つの第３押圧部を対向して押圧すると、前記２つの第３凸起のそれぞれと前記２つの第３係合溝のロックが解除される、
ことを特徴とする請求項７に記載の針自動後退型採血針。
【請求項１２】
前記保護ハウジングに套設され、対称的に設けられ且つ対向して折り畳まれると一体に重なる両翼翼片である翼片をさらに備える、
ことを特徴とする請求項１−１０のいずれか１項に記載の針自動後退型採血針。
【請求項１３】
前記保護ハウジングは、上保護ハウジングと下保護ハウジングが結合されてなり、前記内蔵スライドスリーブは、前記上保護ハウジングの内部に取り付けられ、前記内蔵スライドスリーブの２つの軸方向断面は、前記下保護ハウジングの内壁に密着している、
ことを特徴とする請求項１−１１のいずれか１項に記載の針自動後退型採血針。
【請求項１４】
前記針管の進退方向に垂直な方向において、前記針管から前記下保護ハウジングの外壁までの最大距離は、１．５ｍｍ以下である、
ことを特徴とする請求項１−１０に記載の針自動後退型採血針。
【請求項１５】
前記第１円筒状部の中心軸線は、前記第２円筒状部の中心軸線に平行し、前記第１円筒状部の中心軸線は、前記第２円筒状部の中心軸線と前記下保護ハウジングの内壁との間に位置する、
ことを特徴とする請求項１４に記載の針自動後退型採血針。
【請求項１６】
前記第１円筒状部の中心軸線と前記第２円筒状部の中心軸線は、共軸である、
ことを特徴とする請求項１１に記載の針自動後退型採血針。
【発明の詳細な説明】
【技術分野】
【０００１】
本発明は、医療機器の技術分野に関し、特に針自動後退型採血針に関する。
【背景技術】
【０００２】
現在、効果的に使用されている市販の安全機能付き採血針には、主に米国のベクトン・デ
ィッキンソン・アンド・カンパニー社及びドイツのビー・ブラウン社製の安全機能付き採
血針がある。たとえば、米国のベクトン・ディッキンソン・アンド・カンパニー社製の針
自動後退型安全機能付き採血針は、採血針の前方部に取り付けられるばね及びロック装置
を利用して、採血終了後、ロック装置を押圧するとロックを解除し、ばねが針管を針カバ
ーに引き戻して針刺しや交差感染を防止するような原理を利用したものである。米国のベ
クトン・ディッキンソン・アンド・カンパニー社製の針自動後退型安全機能付き採血針を
例にすると、この製品の設計には多数の欠点又は不備があり、たとえば、全体としての体
積が大きく（長さ約４０ｍｍ）、使用に不便さをもたらし、針管と針ホルダーの底部との
距離が大きく、その結果、針管と皮膚又は血管との間に大きな傾斜角が発生し、使用する
ときに患者の血管へ損傷を与えやすくなり、ロック解除用ばねのボタンが間違ってトリガ
ーされやすく、製品の構造が複雑であり、生産コストが高く、市場のニーズに応えられず
、普及させにくい。
【０００３】
安全機能付き採血針に対する重要な技術的要求は、主に以下のことである。
１）針管と針ホルダーの底部との垂直方向での距離は、１．５ｍｍ以下であり、そうでは
ない場合、針管と針管ベースとの間に大きな傾斜角が発生して針先による血管の突き刺し
を引き起こしやすい。
２）採血針は、長期的に患者の手の甲に固定されるため、体積が大きすぎると、使用しに
くいとともに、患者へ不快さなどを与える。
【０００４】
市場において幅広く使用されている従来の採血針は、針管を抜き出す際に、操作者がハン
ドルを起立させて把持して針管を抜き出すが、この操作をするときに針管が血管の内部で
回動し、針先が血管を損傷するリスクがある（よく輸液をする患者が静脈炎に罹患しやす
い原因の１つ）。使用済みの汚染針管が外部へ露出しているため、針刺しや二次被害を引
き起こして、さらに交差感染のリスクをもたらす。
【０００５】
上記ベクトン・ディッキンソン・アンド・カンパニー社製のホース式安全機能付き採血針
は、使用しにくいだけでなく、二次被害、及び針管を抜き出すときに患者の血管へ損傷を
与えるリスクがある。
【０００６】
ほかの安全機能付き採血針のさまざまな革新的な設計に関しては、一般に、以下の問題又
は技術的難問がある。
１）採血針に対する技術的要求及び安全性の要求を満たすとともに、小型化設計及び優れ
ている使用性を両立できない。或いは、良好な設計を有するものの、工業的な量産が実現
されにくいことも原因の１つである。
【０００７】
上記問題を解決するために、本発明の目的は、以下のとおりである。
１．針刺し及び交差感染の防止：
１）輸液するときに患者に対して与え得る血管損傷のリスクをできるだけ減少させる。
２）医療スタッフが操作するときに針により突き刺さたり交差感染を受けたりするリスク
をできるたけ防止する。
３）医療廃棄物の処置過程における潜在的な二次被害及び環境汚染を防止する。
【０００８】
２．製品の小型化設計：
１）段階的に組み合わせた構造とすることにより製品の小型化を実現し、採血針に対する
技術的要求及び患者による快適さを満たす。
２）より快適且つ簡便に使用できる。
【０００９】
３．生産プロセスの簡素化：
１）製品は、設計がコンパクトで簡単であり、生産プロセスがシンプルであり、量産が実
現されやすい。
２）製品の品質及び安全性を大幅に向上させるとともに、生産コストを顕著に削減させる
。
【発明の概要】
【００１０】
上記目的を達成させるために、本発明の一態様は、針自動後退型採血針を提供し、
前から後へ順次接続された、第１円筒状部、第２円筒状部及びテールホルダー部を有し、
第２円筒状部の直径が第１円筒状部の直径より大きい針ホルダーと、
針管と、
断面視で略C字型であり、両端まで貫通する長尺状ブロックである内蔵スライドスリーブ
と、
両端まで貫通する長尺状の中空ハウジングである保護ハウジングと、
ばねと、を備え、
針管の末端は、第１円筒状部の内部に取り付けられ、針ホルダーの第１円筒状部及び針ホ
ルダーの第２円筒状部は、いずれも内蔵スライドスリーブの内部に取り付けられ、第２円
筒状部は、内蔵スライダーと嵌合して前後にスライド可能であり、針ホルダーのテールホ
ルダー部は、内蔵スライドスリーブの末端の外に位置し、内蔵スライドスリーブは、前後
にスライド可能に保護ハウジングの内部に取り付けられ、テールホルダー部は、保護ハウ
ジングの末端にロックでき、ばねは、第１円筒状部に套設され、先端が保護ハウジングの
内壁に当接され、末端が第２円筒状部の先端の端面に当接され、
針ホルダーと内蔵スライドスリーブとの間には、第２円筒状部をロックするための第１ロ
ック構造が設けられ、内蔵スライドスリーブと保護ハウジングとの間には、内蔵スライド
スリーブをロックするための第２ロック構造が設けられ、テールホルダー部と保護ハウジ
ングとの間には、テールホルダー部をロックするための第３ロック構造が設けられ、
テールホルダー部が保護ハウジングの末端にロックされたとき、ばねは、圧縮状態にあり
、内蔵スライドスリーブの先端は、保護ハウジングの内壁により制限され、内蔵スライド
スリーブの末端は、テールホルダー部により制限され、テールホルダー部が保護ハウジン
グの末端に対してロック解除されたとき、ばねの作用力は、第２円筒状部を押して内蔵ス
ライドスリーブのロック位置まで後へスライドさせてロックし、針ホルダーは、後へスラ
イドし続けて内蔵スライドスリーブが保護ハウジングのロック位置まで後へスライドして
ロックされるように駆動し、このとき、針管は、保護ハウジングにより完全に覆われ、且
つ針尖が露出しない
さらに、第１ロック構造は、第２円筒状部の外壁に設けられる第１位置決め部と、内蔵ス
ライドスリーブの内壁に設けられる第１ロック部と、を備え、第２円筒状部が内蔵スライ
ドスリーブのロック位置までスライドすると、第１位置決め部は、第１ロック部によりロ
ックされ、第２円筒状部が内蔵スライドスリーブから抜けないようにする。
【００１１】
好ましくは、第１位置決め部は、スライダーを備え、第１ロック部は、長溝孔及び第１弾
性アームを備え、長溝孔が内蔵スライドスリーブの軸方向に設けられ、第１弾性アームが
長溝孔の後方部に設けられ、スライダーは、長溝孔の長さ範囲でスライドするように制限
され、スライダーが長溝ブロックに沿って長溝孔の末端までスライドする過程において、
第１弾性アームは、スライダーにより押されて弾性的に変形してスライダーの通過を許容
し、スライダーが長溝孔の末端に到着すると、第１弾性アームの変形が戻り、スライダー
がロックされて逆方向にスライドできなくなる。
【００１２】
より好ましくは、第１位置決め部は、それぞれスライダーの両側に設けられる２つのサイ
ドスライダーをさらに備え、第１ロック部は、２本の第１スライド溝をさらに備え、２本
の第１スライド溝が内蔵スライドスリーブの軸方向に設けられ、且つそれぞれスライド溝
孔の両側に設けられ、２つのサイドスライダーは、それぞれ２本の第１スライド溝の長さ
範囲でスライドするように制限され、第２円筒状部が径方向に沿って内蔵スライドスリー
ブから抜けないようにする。
【００１３】
さらに、第２ロック構造は、内蔵スライドスリーブに設けられる第２位置決め部と、保護
ハウジングの内壁に設けられる第２ロック部と、を備え、内蔵スライドスリーブが保護ハ
ウジングのロック位置までスライドすると、第２位置決め部は、第２ロック部によりロッ
クされ、内蔵スライドスリーブが保護ハウジングから抜けないようにする。
【００１４】
好ましくは、第２位置決め部は、それぞれ内蔵スライドスリーブの２つの軸方向断面に設
けられる２つのボスを備え、第２ロック部は、２本の第２スライド溝と２つの第２弾性ア
ームと、を備え、２本の第２スライド溝が保護ハウジングの軸方向に対称的に設けられ、
２つの第２弾性アームがそれぞれ２本の第２スライド溝の後方部に設けられ、２つのボス
がそれぞれ２本の第２スライド溝の長さ範囲でスライドするように制限され、
２つのボスがそれぞれ２本の第２スライド溝に沿って２本の第２スライド溝の末端までス
ライドする過程において、２つの第２弾性アームは、それぞれ２つのボスにより押されて
弾性的に変形して２つのボスの通過を許容し、２つのボスがそれぞれ２本の第２スライド
溝の末端に到着すると、２つの第２弾性アームの変形が戻り、２つのボスがロックされて
逆方向にスライドできなくなる。
【００１５】
さらに、第３ロック構造は、テールホルダー部に設けられる第３位置決め部と、保護ハウ
ジングの末端に設けられる第３ロック部と、を備え、第３位置決め部が第３ロック部にロ
ックされると、テールホルダー部は、保護ハウジングの末端にロックされ、ばねは、圧縮
状態にあり、第３位置決め部と第３ロック部のロックが解除されると、ばねの作用力は、
第２円筒状部を押して、針ホルダーを後へ移動させる。
【００１６】
好ましくは、第３位置決め部は、２本の爪部を備え、２本の爪部が、テールホルダー部の
末端の端面に対称的に設けられ、且つ第２円筒状部の中心軸線に対して垂直であり、
第３ロック部は、第１板状部と２つの長尺状孔部と、を備え、第１板状部が保護ハウジン
グの末端から軸方向に延出し、第１板状部が径方向に沿って移動でき、２つの長尺状孔部
が第１板状部に対称的に開けられ、
第１板状部を操作することによって、２本の爪部をそれぞれ２つの長尺状孔部に挿入する
か、又は２本の爪部と２つの長尺状孔部のそれぞれのロックを解除する。
【００１７】
好ましくは、第３位置決め部は、第１押圧部と第１凸起と、を備え、第１押圧部がテール
ホルダー部の末端から軸方向に延出し、第１押圧部が径方向に沿って押圧でき、第１凸起
が第１押圧部の外壁に設けられ、
第３ロック部は、２つの第２板状部と第１係合溝と、を備え、２つの第２板状部が保護ハ
ウジングの末端から軸方向に延出し、且つ隣接して設けられ、第２板状部の一方が第１係
合溝に設けられ、
第１押圧部を操作することによって、第１凸起を第１係合溝に係着するか、又は第１凸起
と第１係合溝とのロックを解除する。
【００１８】
好ましくは、第３位置決め部は、それぞれテールホルダー部の両側に設けられる２つの第
２凸起を備え、
第３ロック部は、２つの第２押圧部と２つの第２係合溝と、を備え、２つの第２押圧部が
それぞれ保護ハウジングの末端の両側から後へ延設され、２つの第２押圧部が対向して押
圧でき、２つの第２係合溝がそれぞれ２つの第２押圧部に設けられ、
２つの第２押圧部がそれぞれ２つの第２係合溝にロックされると、テールホルダー部は、
保護ハウジングの末端にロックされ、手で両側の第２押圧部を把持して対向して押圧する
と、２つの第２凸起のそれぞれと２つの第２係合溝とのロックが解除される。
【００１９】
さらに、針管と針管ベースとの間に大きな傾斜角が発生して針先が血管を突き出すことが
ないように、針管から下保護ハウジングの外壁までの垂直方向の最大距離は、1.5ｍｍ以
下である。上保護ハウジングと下保護ハウジングの別体式設計により、針管から下保護ハ
ウジングの外周面までの垂直方向の最大距離を１．５ｍｍ以下にすることが可能になる。
【００２０】
またさらに、第１円筒状部の中心軸線は、第２円筒状部の中心軸線に平行し、第１円筒状
部の中心軸線は、第２円筒状部の中心軸線と下保護ハウジングの内壁との間に位置し、そ
れによって、上記針管から下保護ハウジングの外壁までの垂直方向の最大距離をさらに減
少できる。
【００２１】
さらに、保護ハウジングに套設され、対称的に設けられ且つ対向して折り畳まれると一体
に重なる両翼翼片である翼片をさらに備える。
【００２２】
好ましくは、保護ハウジングの末端は、後へ延びて把持部を構成し、把持部及びテールホ
ルダー部は、いずれも略U字形状に開口し、且つ開口が後向きに設けられ、テールホルダ
ー部の前方部は、把持部の内側に内蔵されるとともに把持部とロックされ、テールホルダ
ー部の後方部は、把持部の末端の後に位置し、
第３位置決め部は、２つの第３押圧部と２つの第３凸起と、を備え、２つの第３押圧部が
テールホルダー部の後方部の両側壁であり、２つの第３凸起がそれぞれテールホルダー部
の前方部の両側壁に設けられ、
第３ロック部は、それぞれ把持部の両側壁に設けられる２つの第３係合溝を備え、
２つの第３凸起がそれぞれ２つの第３係合溝とロックされたとき、２つの第３押圧部は、
それぞれ把持部の両側壁の末端の後に位置し、テールホルダー部の末端の両側にある２つ
の第３押圧部を対向して押圧すると、２つの第３凸起のそれぞれと２つの第３係合溝のロ
ックが解除される。
【００２３】
さらに、第１円筒状部の中心軸線と第２円筒状部の中心軸線は、共軸である。
【００２４】
さらに、保護ハウジングは、上保護ハウジングと下保護ハウジングが結合されてなり、内
蔵スライドスリーブは、上保護ハウジングの内部に取り付けられ、内蔵スライドスリーブ
の２つの軸方向断面は、下保護ハウジングの内壁に密着している。
【００２５】
本発明では、特別に設計された針ホルダー及び針ホルダーの中央部と後端に位置する係止
ロック突起によって、針ホルダーの安全機能付き保護ハウジング及び針ホルダーと保護ハ
ウジングの間に位置する可動内蔵スライダーとのロック、スライド及び再度のロックが実
現され、針ホルダー（針管）の自動後退は、針ホルダーの前方部に取り付けられるばねに
よって実現される。
【００２６】
本発明の針自動後退型採血針を組み立てるステップは、以下のとおりである。
１）針ホルダーを組み立て、具体的には、針管を針ホルダーの第１円筒状部の先端に取り
付ける。
２）針ホルダーの第２円筒状部を内蔵スライドスリーブに係着し、テールホルダー部を内
蔵スライドスリーブの末端の外にする。
３）ばねを第１円筒状部に套設する。
４）ばねの先端が保護ハウジングの内壁に当接され、ばねの末端が第２円筒状部の先端の
端面に当接されるように、組み立てられた内蔵スライドスリーブ、針ホルダー及びばねを
上保護ハウジングの内部にセットする。
５）下保護ハウジングをセットして上保護ハウジングと結合して保護ハウジングを構成し
、このとき、保護ハウジングの末端の第３ロック部がテールホルダー部の第３位置決め部
にロックされてテールホルダー部を保護ハウジングの末端にロックするとともに、内蔵ス
ライドスリーブが針ホルダーのテールホルダー部によりロックされる。
６）翼片を保護ハウジングの外周面に套設する。
【００２７】
本発明の利点は、主に以下のとおりである。
【００２８】
１．針刺し及び交差感染の防止：
１）輸液するときに患者に対して与え得る血管損傷のリスクをできるだけ減少させる。
２）医療スタッフが操作するときに針により突き刺さたり交差感染を受けたりするリスク
をできるたけ防止する。
３）医療廃棄物の処置過程における潜在的な二次被害及び環境汚染を防止する。
【００２９】
２．製品の小型化設計：
１）段階的に組み合わせた構造とすることにより製品の小型化を実現し、採血針に対する
技術的要求及び患者による快適さを満たす。
２）より快適且つ簡便に使用できる。
【００３０】
３．生産プロセスの簡素化：
１）製品は、設計がコンパクトで簡単であり、生産プロセスがシンプルであり、量産が実
現されやすい。
２）製品の品質及び安全性を大幅に向上させるとともに、生産コストを顕著に削減させる
。
【図面の簡単な説明】
【００３１】
【図１】実施例１の針自動後退型採血針の構造模式図である。
【図２】実施例１の針自動後退型採血針の針ホルダーの構造模式図である。
【図３】実施例１の針自動後退型採血針の内蔵スライドスリーブの構造模式図である。
【図４】実施例１の針自動後退型採血針の内蔵スライドスリーブの下面模式図である。
【図５】実施例１の針自動後退型採血針の上保護ハウジングの構造模式図である。
【図６】実施例１の針自動後退型採血針の上保護ハウジングの下面模式図である。
【図７】実施例１の針自動後退型採血針の上保護ハウジングの断面模式図である。
【図８】実施例１の針自動後退型採血針の下保護ハウジングの構造模式図である。
【図９】実施例１の針自動後退型採血針の下保護ハウジングの上面模式図である。
【図１０】実施例２の針自動後退型採血針の構造模式図である。
【図１１】実施例２の針自動後退型採血針の末端の部分拡大模式図である。
【図１２】実施例２の針自動後退型採血針の針ホルダーの構造模式図である。
【図１３】実施例２の針自動後退型採血針の針ホルダーの末端の部分拡大模式図である。
【図１４】実施例３の針自動後退型採血針の上面模式図である。
【図１５】実施例３の針自動後退型採血針の構造模式図である。
【図１６】実施例３の針自動後退型採血針の使用後の展開状態の構造模式図である。
【図１７】実施例４の針自動後退型採血針の構造模式図である。
【図１８】実施例４の針自動後退型採血針の針ホルダーの上面模式図である。
【図１９】実施例４の針自動後退型採血針の針ホルダーの下面模式図である。
【図２０】実施例４の針自動後退型採血針の上保護ハウジングの上面模式図である。
【図２１】実施例４の針自動後退型採血針の上保護ハウジングの下面模式図である。
【図２２】実施例４の針自動後退型採血針の下保護ハウジングの上面模式図である。
【図２３】実施例４の針自動後退型採血針の下保護ハウジングの下面模式図である。
【図２４】実施例４の針自動後退型採血針の使用後の展開状態の構造模式図である。
【発明を実施するための形態】
【００３２】
以下、明細書の図面を参照しながら本発明のいくつかの好適実施例を説明し、例を挙げて
本発明が実施可能であることを確認し、明細書に本発明を完全に説明して、その技術的内
容をより明瞭で理解しやすくする。本発明は、多数の異なる形態の実施例によって実施可
能であり、その保護範囲は、明細書に記載の実施例に制限されず、本明細書の図面及び説
明は、あくまで例示的に説明するためであり、本発明を制限するものではない。図面では
、構造が同じ部件は、同じ数字の符号で表され、各構造又は機能が同じユニットは、類似
した数字の符号で表される。
【００３３】
実施例１
図１及び図２に示されるように、針自動後退型採血針は、前から後へ順に接続された、第
１円筒状部１１、第２円筒状部１２及びテールホルダー部１３を有し、第２円筒状部１２
の直径が第１円筒状部１１の直径より大きい針ホルダー１と、先端が前方へ延びており、
末端が第１円筒状部１１の内部に取り付けられる針管２（図示せず）と、断面視で略Ｃ字
形状であり、両端まで貫通する長尺状ブロックである内蔵スライドスリーブ３と、第１円
筒状部１１に套設され、先端が保護ハウジング４の内壁に当接され、末端が第２円筒状部
１２の先端の端面に当接されるばね（図示せず）と、を備え、第１円筒状部１１及び第２
円筒状部１２は、いずれも内蔵スライドスリーブ３の内部に取り付けられ、第２円筒状部
１２は、内蔵スライダー１５と嵌合して前後にスライド可能であり、テールホルダー部１
３は、内蔵スライドスリーブ３の末端の外に位置し、保護ハウジング４、内蔵スライドス
リーブ３は、前後にスライド可能に保護ハウジング４の内部に取り付けられ、テールホル
ダー部１３は、保護ハウジング４の末端にロックできる。針ホルダー１と内蔵スライドス
リーブ３との間には、第２円筒状部１２をロックするための第１ロック構造が設けられ、
内蔵スライドスリーブ３と保護ハウジング４との間には、内蔵スライドスリーブ３をロッ
クするための第２ロック構造が設けられ、テールホルダー部１３と保護ハウジング４との
間には、テールホルダー部１３をロックするための第３ロック構造が設けられる。
【００３４】
テールホルダー部１３が保護ハウジング４の末端にロックされたとき、ばねは、圧縮状態
にあり、内蔵スライドスリーブ３の先端は、保護ハウジング４の内壁により制限され、内
蔵スライドスリーブ３の末端は、テールホルダー部１３により制限され、テールホルダー
部１３が保護ハウジング４の末端に対してロック解除されたとき、ばねの作用力は、第２
円筒状部１２を押して内蔵スライドスリーブ３のロック位置まで後へスライドさせてロッ
クし、針ホルダー１は、後へスライドし続けて、内蔵スライドスリーブ３が保護ハウジン
グ４のロック位置まで後へスライドしてロックされるように駆動し、このとき、針管２は
、保護ハウジング４により完全に覆われ、且つ針先が外露しない。
【００３５】
図２に示されるように、第１円筒状部１１の中心軸線ｎ−ｎは、第２円筒状部１２の中心
軸線ｍ−ｍに平行する。第２円筒状部１２の一部には、所定の長さのライナー１４が設け
られ、ライナー１４は、第１円筒状部１１の一部の外周面にしか覆われておらず、ライナ
ー１４の外周面は、ばねを取り付けるために使用される。
【００３６】
前記第１ロック構造は、第１位置決め部と第１ロック部と、を備える。図２に示されるよ
うに、前記第２円筒状部１２の外壁の先端には、スライダー１５を備える第１位置決め部
が設けられる。図３及び図４に示されるように、前記内蔵スライドスリーブ３は、断面視
で略Ｃ字形状であり、両端まで貫通する長尺状ブロックであり、内蔵スライドスリーブ３
の内壁には、第１ロック部が設けられ、第１ロック部は、長溝孔３１と第１弾性アーム３
２と、を備え、長溝孔３１が内蔵スライドスリーブ３の軸方向に設けられ、且つ内蔵スラ
イドスリーブ３の幅方向の正中線に位置し、第１弾性アーム３２が長溝孔３１の後方部に
設けられ、具体的には、長溝孔３１の末端は、幅が小さくなっていく末端貫通孔３１１と
なり、末端貫通孔３１１は、曲がって長溝孔３１の先端へ延びることで、フック状貫通孔
３１２となり、それによって、末端貫通孔３１１には、第１弾性アーム３２が形成されて
いる。前記スライダー１５は、長溝孔３１の長さ範囲でスライドするように制限され、ス
ライダー１５が長溝ブロックに沿って長溝孔３１の末端までスライドする過程において、
第１弾性アーム３２は、スライダー１５により押されて弾性的に変形してスライダー１５
の通過を許容し、スライダー１５が長溝孔３１の末端に到着すると、第１弾性アーム３２
の変形が戻り、スライダー１５が内蔵スライドスリーブ３の軸線方向にロックされて逆方
向にスライドできなくなる。ばねの作用力により、第２円筒状部１２と内蔵スライドスリ
ーブ３がロックされると、第２円筒状部１２は、内蔵スライドスリーブ３の末端が保護ハ
ウジング４から抜けるように駆動する。
【００３７】
図２に示されるように、第１位置決め部は、スライダー１５の両側に対称的に設けられる
２つのサイドスライダー１６（図には、１つのサイドスライダー１６が遮蔽されている）
をさらに備える。図３及び図４に示されるように、第１ロック部は、２本の第１スライド
溝３３（図には、１つの第１スライド溝３３が遮蔽されている）をさらに備え、２本の第
１スライド溝３３は、内蔵スライドスリーブ３の軸方向に設けられ、且つスライド溝孔の
両側に対称的に設けられ、内蔵スライドスリーブ３の先端の端面には、係合口が開けられ
、２つのサイドスライダー１６のそれぞれが内蔵スライドスリーブ３の先端から２本の第
１スライド溝３３に嵌め込まれるように、係合口の幅が第２円筒状部１２における２つの
サイドスライダー１６の位置に合わせている。２つのサイドスライダー１６は、それぞれ
２本の第１スライド溝３３の長さ範囲でスライドするように制限される。第２円筒状部１
２が内蔵スライドスリーブ３に取り付けられたとき、第２円筒状部１２は、径方向の移動
を制限されて、径方向に沿って内蔵スライドスリーブ３から抜けることができず、このよ
うにして、第２円筒状部１２と内蔵スライドスリーブ３の組立構造がより安定的になる。
【００３８】
図１、図５〜図９に示されるように、保護ハウジング４は、上保護ハウジング４１と下保
護ハウジング４２が結合されてなり、内蔵スライドスリーブ３は、上保護ハウジング４１
の内部に取り付けられ、内蔵スライドスリーブ３の２つの軸方向断面が下保護ハウジング
４２の内壁に密着している。図５〜図７に示されるように、上保護ハウジング４１は、前
から後へ順に接続された、第３円筒状部４１１、第４円筒状部４１２、及び断面視でＣ字
形状を呈する凹溝４１３を備え、第４円筒状部４１２の直径が第３円筒状部４１１の直径
より大きく、第３円筒状部４１１の中心軸線ｏ−ｏは、第４円筒状部４１２の中心軸線ｈ
−ｈに平行し、第３円筒状部４１１及び第４円筒状部４１２、ライナー１４に挿入される
針ホルダー１１の第１円筒状部１１の長さは、第４円筒状部４１２に合わせている。具体
的には、針ホルダー１の第１円筒状部１１の先端が突き出せるように第３円筒状部４１１
の先端が開口し、ばねの先端が、第３円筒状部４１１と第４円筒状部４１２との間に形成
された段差面に当接され、内蔵スライドスリーブ３は、第４円筒状部４１２の凹溝４１３
に設けられ、内蔵スライドスリーブ３の先端の端面から第３円筒状部４１１と第４円筒状
部４１２との間の段差面まで、ばねの圧縮された一部を収納するための一定の隙間があり
、ばねの残りの部分は、第１円筒状部１１に套設され、且つ内蔵スライドスリーブ３の内
部に位置する。
【００３９】
前記第２ロック構造は、第２位置決め部と第２ロック部と、を備える。図３に示されるよ
うに、前記内蔵スライドスリーブ３には、第２位置決め部が設けられ、第２位置決め部は
、それぞれ内蔵スライドスリーブ３の２つの軸方向断面に設けられる２つのボス３４を備
える。図８及び図９に示されるように、前記下保護ハウジング４２の内壁には、第２ロッ
ク部が設けられ、第２ロック部は、２本の第２スライド溝４２１と２つの第２弾性アーム
４２２と、を備え、２本の第２スライド溝４２１が、下保護ハウジング４２の軸方向に対
称的に設けられ、２つの第２弾性アーム４２２が、それぞれ２本の第２スライド溝４２１
の後方部に設けられる。２つのボス３４は、それぞれ２本の第２スライド溝４２１の長さ
範囲でスライドするように制限される。２つのボス３４がそれぞれ２本の第２スライド溝
４２１に沿って２本の第２スライド溝４２１の末端までスライドする過程において、２つ
の第２弾性アーム４２２は、それぞれ２つのボス３４により押されて弾性的に変形して２
つのボス３４の通過を許容し、２つのボス３４がそれぞれ２本の第２スライド溝４２１の
末端に到着すると、２つの第２弾性アーム４２２の変形が戻り、２つのボス３４がロック
されて逆方向にスライドできなくなる。
【００４０】
前記第３ロック構造は、第３位置決め部と第３ロック部と、を備える。図２に示されるよ
うに、前記テールホルダー部１３には、第３位置決め部が設けられ、第３位置決め部は、
２本の爪部１３１を備え、２本の爪部１３１がテールホルダー部１３の末端の端面に対称
的に設けられ、且つ第２円筒状部１２の中心軸線に対して垂直である。図５〜図７に示さ
れるように、前記上保護ハウジング４１の末端には、第１板状部４１４と２つの長尺状孔
部４１５とを備える第３ロック部が設けられ、第１板状部４１４は、上保護ハウジング４
１の末端から軸方向に延出し、径方向に沿って移動可能であり、２つの長尺状孔部４１５
は、第１板状部４１４に対称的に開けられる。２本の爪部１３１のそれぞれが２つの長尺
状孔部４１５に挿入されると、前記テールホルダー部１３は、保護ハウジング４の末端に
ロックされ、ばねは、圧縮状態にあり、第１板状部４１４を移動させると、２本の爪部１
３１のそれぞれと２つの長尺状孔部４１５のロックが解除され、テールホルダー部１３が
保護ハウジング４の末端に対してロック解除され、ばねの作用力により、針ホルダー１の
第２円筒状部１２が後へ押される。
【００４１】
図１に示されるように、保護ハウジング４の第４円筒状部４１２に套設され、対称的に設
けられ、且つ折り畳まれると一体に重なる両翼翼片である翼片５をさらに備える。翼片５
は、弾性プラスチック材質であり、翼状片の表面には、滑り止めの点から、粒子状の突起
や模様などの滑り止め構造が設けられてもよい。このような構造によって、血管の内部で
の針管２の回動を回避し、針先による血管損傷のリスクを避ける。
【００４２】
針管２から下保護ハウジング４２の外壁までの垂直方向の最大距離は、１．４ｍｍである
。なお、針管２と針管２のホルダーとの間に大きな傾斜角が発生して針先による血管の突
刺しを引き起こしやすいことを防止するために、針管２の中心軸線と針ホルダー１の底部
との垂直方向の距離をできるだけ減少させ、内蔵スライドスリーブ３は、断面視で略Ｃ字
形状であり、両端まで貫通する長尺状ブロックとして設計され、保護ハウジング４は、型
開きして生産することに有利な上保護ハウジング４１と下保護ハウジング４２に分割され
、また、針ホルダー１の第１円筒状部１１の中心軸線は第２円筒状部１２の中心軸線に平
行して設けられ、第１円筒状部１１の中心軸線は、第２円筒状部１２の中心軸線と下保護
ハウジング４２の内壁との間に位置し、それによって、針管２から下保護ハウジング４２
の外壁までの垂直方向の最大距離をさらに減少させる。組み立てるときに、内蔵スライド
スリーブ３を上保護ハウジング４１の内部に取り付け、内蔵スライドスリーブ３の２つの
軸方向断面を下保護ハウジング４２の内壁に密着させ、針管２が取り付けられた第１円筒
状部１１を下保護ハウジング４２の内壁に近くし、それによって、針管２の軸線から下保
護ハウジング４２の外壁までの垂直方向の最大距離を１．５ｍｍ以下に設定することを可
能にする。
【００４３】
本実施例の針自動後退型採血針を組み立てるステップは、以下のとおりである。
１）針ホルダー１を組み立て、具体的には、針管２を針ホルダー１の第１円筒状部１１の
先端に取り付ける。
２）針ホルダー１の第２円筒状部１２を内蔵スライドスリーブ３に係着し、テールホルダ
ー部１３を内蔵スライドスリーブ３の末端の外にする。
３）ばねを第１円筒状部１１に套設する。
４）ばねの先端が保護ハウジング４の内壁の段差面に当接され、ばねの末端が第２円筒状
部１２の先端の端面に当接されるように、組み立てられた内蔵スライドスリーブ３、針ホ
ルダー１及びばねを、上保護ハウジング４１の内部にセットする。
５）下保護ハウジング４２をセットして上保護ハウジング４１と結合して保護ハウジング
４を構成し、このとき、保護ハウジング４の末端の第３ロック部がテールホルダー部１３
の第３位置決め部にロックされて、テールホルダー部１３を保護ハウジング４の末端にロ
ックするとともに、内蔵スライドスリーブ３が針ホルダー１のテールホルダー部１３によ
りロックされる。
６）翼片５を保護ハウジング４の外周面に套設する。
【００４４】
使用方法
針を抜き出すときに、一方の手で保護ハウジング４を押さえて、他方の手で第１板状部４
１４を移動させることで、２本の爪部１３１のそれぞれと２つの長尺状孔部４１５とのロ
ックを解除し、テールホルダー部１３を保護ハウジング４の末端に対してロック解除し、
ばねの作用力により、針ホルダー１の第２円筒状部１２が内蔵スライドスリーブ３からロ
ック位置に押されてロックされ、それに連動して、内蔵スライドスリーブ３が保護ハウジ
ング４からロック位置に押されてロックされ、このとき、針ホルダー１及び内蔵スライド
スリーブ３のいずれも前後に移動できなくなり、針管２全体が保護ハウジング４の内部に
後退し、針管２が患者の体外へ抜き出され、それ以外、使用するときに従来の採血針と同
様に操作する。
【００４５】
実施例２
図１０〜１３に示されるように、実施例１に比べて、本実施例の相違点は、第３ロック構
造にある。前記第３ロック構造は、第３位置決め部と第３ロック部と、を備える。図１０
及び１１に示されるように、上保護ハウジング４１の末端には、第３ロック部が設けられ
、第３ロック部は、２つの第２板状部４１６と第１係合溝４１７と、を備え、２つの第２
板状部４１６が保護ハウジング４の末端から軸方向に延出し、且つ隣接して設けられ、一
方の第２板状部４１６には、第１係合溝４１７が設けられる。図１２及び図１３に示され
るように、針ホルダー１のテールホルダー部１３には、第３位置決め部が設けられ、第３
位置決め部は、第１押圧部１３２と第１凸起１３３と、を備え、第１押圧部１３２がテー
ルホルダー部１３の末端から軸方向に延出し、径方向に沿って押圧可能であり、第１凸起
１３３が、第１押圧部１３２の外壁に設けられる。第１凸起１３３が第１係合溝４１７に
係着されると、前記テールホルダー部１３は、保護ハウジング４の末端にロックされ、ば
ねは、圧縮状態にあり、第１押圧部１３２を押圧すると、第１凸起１３３と第１係合溝４
１７のロックが解除され、テールホルダー部１３が保護ハウジング４の末端に対してロッ
ク解除され、ばねの作用力により、針ホルダー１の第２円筒状部１２が後へ押される。
【００４６】
第１押圧部１３２は、三角状凸起を有し、この三角状凸起は、押圧に有利な傾斜面Ｐを有
し、さらに、三角状凸起の縁部における段差が第１凸起１３３にロックされ、それにより
、三角状凸起が不意図的に押圧されていても、ロック解除が発生しない。
【００４７】
本実施例では、針管２から下保護ハウジング４２の外周面までの垂直方向の最大距離は、
１．３ｍｍである。
【００４８】
組み立てるステップに関しては、実施例１を参照すればよい。
【００４９】
使用方法
針を抜き出すときに、一方の手で保護ハウジング４を押さえて、他方の手で第１押圧部１
３２を押圧することで、第１凸起１３３と第１係合溝４１７のロックを解除し、さらにテ
ールホルダー部１３を保護ハウジング４の末端に対してロック解除し、ばねの作用力によ
り、針ホルダー１の第２円筒状部１２が内蔵スライドスリーブ３からロック位置に押され
てロックされ、それに連動して、内蔵スライドスリーブ３が保護ハウジング４からロック
位置に押されてロックされ、このとき、針ホルダー１及び内蔵スライドスリーブ３のいず
れも前後に移動できなくなり、針管２全体が保護ハウジング４の内部に後退し、針管２が
患者の体外へ抜き出され、それ以外、使用するときに従来の採血針と同様に操作する。
【００５０】
実施例３
図１４及び図１５に示されるように、実施例１、２に比べて、本実施例の相違点は、第３
ロック構造にある。前記第３ロック構造は、第３位置決め部と第３ロック部と、を備える
。針ホルダー１のテールホルダー部１３には、第３位置決め部が設けられ、第３位置決め
部は、それぞれ前記テールホルダー部１３の両側に設けられる２つの第２凸起１３４（図
には、１つの第２凸起１３４が遮蔽されている）を備え、上保護ハウジング４１の末端に
は、第３ロック部がけられ、前記第３ロック部は、２つの第２押圧部４１８と２つの第２
係合溝４１９と、を備え、前記２つの第２押圧部４１８が前記保護ハウジング４の末端の
両側から後へ延設され、前記２つの第２押圧部４１８が対向して押圧でき、前記２つの第
２係合溝４１９は、それぞれ前記２つの第２押圧部４１８に設けられる。組み立てるとき
、テールホルダー部１３を押して前へスライドさせ、２つの第２凸起１３４がそれぞれ２
つの第２係合溝４１９に係着されると、前記テールホルダー部１３は、保護ハウジング４
の末端にロックされ、ばねは、圧縮状態にあり、手で両側の第２押圧部４１８を把持して
対向して押圧すると、２つの第２凸起１３４のそれぞれと２つの第２係合溝４１９のロッ
クが解除され、テールホルダー部１３が保護ハウジング４の末端に対してロック解除され
、ばねの作用力により、針ホルダー１の第２円筒状部１２が後へ押される。
【００５１】
２つの第２凸起１３４がそれぞれ２つの第２係合溝４１９に係着されることを簡便にする
ために、２つの第２凸起１３４のいずれの先端にも傾斜面が設けられる。
【００５２】
本実施例では、針管２から下保護ハウジング４２の外周面までの垂直方向の最大距離は、
１．２ｍｍである。
【００５３】
組み立てるステップに関しては、実施例１を参照すればよい。
【００５４】
使用方法
針を抜き出すときに、一方の手で保護ハウジング４を押さえて、他方の手で両側の第２押
圧部４１８を把持して対向して押圧することで、第２凸起１３４と第２係合溝４１９のロ
ックを解除し、さらにテールホルダー部１３を保護ハウジング４の末端に対してロック解
除し、ばねの作用力により、針ホルダー１の第２円筒状部１２が内蔵スライドスリーブ３
からロック位置に押されてロックされ、それに連動して、内蔵スライドスリーブ３が保護
ハウジング４からロック位置に押されてロックされ、図１５に示されるように、このとき
、針ホルダー１及び内蔵スライドスリーブ３のいずれも前後に移動できなくなり、針管２
全体が保護ハウジング４の内部に後退し、針管２が患者の体外へ抜き出され、それ以外、
使用するときに従来の採血針と同様に操作する。
【００５５】
実施例４
図１６に示されるように、本実施例は、ペン型採血針であり、実施例１、２、３に比べて
、保護ハウジング４の末端の構造、針ホルダー１のテールホルダー部１３の構造及第３ロ
ック構造が異なる。第３ロック構造は、第３位置決め部と第３ロック部と、を備える。
【００５６】
図１７及び図１８に示されるように、前記針ホルダー１のテールホルダー部１３は、略Ｕ
字形状に開口し、且つ開口が後向きに設けられ、テールホルダー部１３には、第３位置決
め部が設けられ、第３位置決め部は、２つの第３押圧部１３５と２つの第３凸起１３６と
を備え、２つの第３押圧部１３５がテールホルダー部１３の後方部の両側壁であり、２つ
の第３凸起１３６がそれぞれテールホルダー部１３の前方部の両側壁に設けられる。実施
例１、２、３に比べて、第１円筒状部１１の中心軸線と第２円筒状部１２の中心軸線は、
共軸であり、テールホルダー部１３は、他方の針管７に取り付けられてもよく、この他方
の針管７は、針管２に共軸である点が異なる。
【００５７】
図１９及び図２０に示されるように、上保護ハウジング４１の末端は、後へ延びて把持部
４１１０を構成し、把持部４１１０は、略Ｕ字形状に開口し、且つ開口が後向きに設けら
れ、把持部４１１０には、第３ロック部が設けられ、第３ロック部は、２つの第３係合溝
４１１１を備え、２つの第３係合溝４１１１がそれぞれ把持部４１１０の両側壁に設けら
れる。図２１及び図２２には、下保護ハウジング４２の構造が示されており、図中の円状
部分は、円状凸起４２３であり、上保護ハウジング４１の円状凹溝４１１２に係着され、
上保護ハウジング４１と下保護ハウジング４２を結合する。
【００５８】
テールホルダー部１３の前方部が把持部４１１０の内側に内蔵されるとともに前記把持部
にロックされたとき、テールホルダー部１３の後方部は、把持部の末端４１１０の後に位
置し、具体的には、２つの第３凸起１３６がそれぞれ２つの第３係合溝４１１１に係着さ
れると、２つの第３押圧部１３５は、それぞれ前記把持部４１１０の両側壁の末端の後に
位置し、前記テールホルダー部１３は、保護ハウジング４の末端にロックされ、ばねは、
圧縮状態にあり、２つの第３押圧部１３５を対向して押圧すると、２つの第３凸起１３６
のそれぞれと２つの第３係合溝４１１１のロックが解除され、さらにテールホルダー部１
３が保護ハウジング４の末端に対してロック解除され、ばねの作用力により、針ホルダー
１の第２円筒状部１２が後へ押される。
【００５９】
組み立てるステップに関しては、実施例１を参照すればよく、針管２には、プロテクター
６が套設されてもよい。
【００６０】
使用方法
針を抜き出すときに、一方の手で保護ハウジング４の把持部４１１０を押さえて、他方の
手で両側から２つの第３押圧部１３５を押圧することで、２つの第３凸起１３６のそれぞ
れと２つの第３係合溝４１１１のロックを解除し、さらにテールホルダー部１３を保護ハ
ウジング４の末端に対してロック解除し、ばねの作用力により、針ホルダー１の第２円筒
状部１２が内蔵スライドスリーブ３からロック位置に押されてロックされ、それに連動し
て、内蔵スライドスリーブ３が保護ハウジング４からロック位置に押されてロックされ、
図２３に示されるように、このとき、針ホルダー１及び内蔵スライドスリーブ３のいずれ
も前後に移動できなくなり、針管２全体が保護ハウジング４の内部に後退し、針管２が患
者の体外へ抜き出され、それ以外、使用するときに従来の採血針と同様に操作する。
【００６１】
また、本実施例のペン型採血針は、ばねを省略して使用してもよく、針を抜き出すとき、
一方の手で保護ハウジング４の把持部４１１０を押さえて、他方の手で両側から２つの第
３押圧部１３５を押圧することで、２つの第３凸起１３６のそれぞれと２つの第３係合溝
４１１１のロックを解除し、次に針ホルダー１を後へ引いて、針ホルダー１の第２円筒状
部１２を内蔵スライドスリーブ３の内部からロック位置まで引いてロックし、それに連動
して、内蔵スライドスリーブ３を保護ハウジング４の内部からロック位置まで引いてロッ
クし、このとき、針ホルダー１及び内蔵スライドスリーブ３のいずれも前後に移動できな
くなり、針管２全体が保護ハウジング４の内部に後退し、針管２が患者の体外へ抜き出さ
れ。
【００６２】
なお、上記実施例における位置決め部及びロック部の凸凹形状が交換可能であり、つまり
、位置決め部が凹部であり、ロック部が凸部であるようにしてもよく、凹部と凸部のロッ
クが実現できればよい。
【００６３】
以上は、本発明の好適実施例に過ぎず、ただし、当業者であれば、本発明の原理から逸脱
することなく、いくつかの改良及び修飾を行うことができ、これら改良及び修飾も本発明
の保護範囲とみなされるべきである。
【符号の説明】
【００６４】
図における符号の説明は、以下のとおりである。
１  針ホルダー
１１  第１円筒状部
１２  第２円筒状部
１３  テールホルダー部
１３１  爪部
１３２  第１押圧部
１３３  第１凸起
１３４  第２凸起
１３５  第３押圧部
１３６  第３凸起
１４  ライナー
１５  スライダー
１６  サイドスライダー
２  針管
３  内蔵スライドスリーブ
３１  長溝孔
３１１  末端貫通孔
３１２  フック状貫通孔
３２  第１弾性アーム
３３  第１スライド溝
３４  ボス
４  保護ハウジング
４１  上保護ハウジング
４１１  第３円筒状部
４１２  第４円筒状部
４１３  凹溝
４１４  第１板状部
４１５  長尺状孔部
４１６  第２板状部
４１７  第１係合溝
４１８  第２押圧部
４１９  第２係合溝
４１１０  把持部
４１１１  第３係合溝
４１１２  円状凹溝
４２  下保護ハウジング
４２１  第２スライド溝
４２２  第２弾性アーム
４２３  円状凸起
５  翼片
６  プロテクター
７  別の針管
【図１】
0006966576.tif 000002
【図２】
0006966576.tif 000003
【図３】
0006966576.tif 000004
【図４】
0006966576.tif 000005
【図５】
0006966576.tif 000006
【図６】
0006966576.tif 000007
【図７】
0006966576.tif 000008
【図８】
0006966576.tif 000009
【図９】
0006966576.tif 000010
【図１０】
0006966576.tif 000011
【図１１】
0006966576.tif 000012
【図１２】
0006966576.tif 000013
【図１３】
0006966576.tif 000014
【図１４】
0006966576.tif 000015
【図１５】
0006966576.tif 000016
【図１６】
0006966576.tif 000017
【図１７】
0006966576.tif 000018
【図１８】
0006966576.tif 000019
【図１９】
0006966576.tif 000020
【図２０】
0006966576.tif 000021
【図２１】
0006966576.tif 000022
【図２２】
0006966576.tif 000023
【図２３】
0006966576.tif 000024
【図２４】
0006966576.tif 000025